(57)【要約】【課題】送信者が活動情報とともに表示させる絵文字を選択する。【解決手段】他の端末との間で、端末のユーザの活動状態を示す活動情報を相互に通知すると共に、他のユーザから受信した活動情報を表示する端末であって、活動情報格納部と、絵文字格納部と、ユーザから一の活動情報と当該一の活動情報に対応付けるべき一の絵文字とを対応付けて受け付ける対応絵文字受付部と、一の活動情報および一の絵文字を対応付けて文字コードで格納する対応絵文字格納部と、送信すべき一の活動情報を受け付ける送信活動情報受付部と、一の活動情報を示す文字コードとともに絵文字を識別する文字コードを他の端末に送信する送信部と、活動情報に対応付けて当該絵文字を表示する表示部とを備える。【選択図】図２
2008104113.tif 000002
【特許請求の範囲】
【請求項１】
他の端末との間で、端末のユーザの活動状態を示す活動情報を相互に通知すると共に、他のユーザから受信した前記活動情報を表示する端末であって、
文字の列により前記ユーザに認識される複数の活動情報を、前記文字の列を示す文字コードでそれぞれ格納する活動情報格納部と、
複数の絵文字を、それぞれを識別する文字コードに対応付けて格納する絵文字格納部と、
前記活動情報格納部に格納されている前記複数の活動情報、および、前記絵文字格納部に格納されている前記複数の絵文字を表示し、前記ユーザから、一の活動情報と、当該一の活動情報に対応付けるべき一の絵文字とを対応付けて受け付ける対応絵文字受付部と、
前記対応絵文字受付部により受け付けられた前記一の活動情報、および、前記一の絵文字を対応付けて文字コードで格納する対応絵文字格納部と、
前記活動情報格納部に格納されている前記複数の活動情報を表示し、前記ユーザから、送信すべき一の活動情報を受け付ける送信活動情報受付部と、
前記送信活動情報受付部により一の活動情報が受け付けられた場合に、当該一の活動情報を示す文字コードとともに、当該活動情報に対応付けて前記対応絵文字格納部に格納されている前記絵文字を識別する文字コードを前記他の端末に送信する送信部と、
前記他の端末から、前記活動情報を示す文字コードとともに、前記絵文字を識別する文字コードを受信した場合に、当該活動情報に対応付けて当該絵文字を表示する表示部と
を備える端末。
【請求項２】
前記表示部は、前記他の端末から、前記活動情報を示す文字コードとともに、前記絵文字を識別する文字コードを受信した場合に、前記活動情報の文字よりも大きな当該絵文字を表示する請求項１に記載の端末。
【請求項３】
前記端末は、さらに、前記ユーザから、新たな前記活動情報の登録を受け付ける活動情報登録部を備え、
前記対応絵文字格納部は、予め前記活動情報と前記絵文字とを文字コードで対応付けたテーブルを格納し、
前記対応絵文字受付部は、前記活動情報登録部により前記新たな活動情報が受け付けられた場合に、当該新たな活動情報に対応付けるべき一の絵文字を受け付け、
前記対応絵文字格納部は、前記テーブルに当該新たな活動情報、および、当該一の絵文字を文字コードで対応付けて追加する請求項１に記載の端末。
【請求項４】
前記表示部は、前記活動情報とともに、前記絵文字格納部に格納された一の文字コードを含む、コメントを示す文字コードを前記他の端末から受信した場合に、前記活動情報とともに、当該一の文字コードにより識別される前記絵文字を含むコメントを表示する請求項１に記載の端末。
【発明の詳細な説明】
【技術分野】
【０００１】
本発明は、ユーザの活動状態を示す活動情報を通知する端末に関する。
【背景技術】
【０００２】
ユーザの状態を示す情報を、当該端末から他のユーザの端末に送信し、他のユーザの端末で表示するシステムが知られている（例えば、特許文献１および２を参照）。ここで、特許文献１に記載のシステムによれば、状態を示す情報を選択する状態選択ウィンドウにおいて状態の選択肢がイメージ画像と共に表示される。
【０００３】
また、特許文献２の記載のシステムによれば、状態を示す情報を発信する側の端末で設定したイメージ画像とキーワードの対応付けを、当該情報を受信する側の端末に予め登録させておくか、または、情報を受信する側の端末においてユーザが予め当該対応付けを入力しておく。これにより、発信側の端末から状態を示す情報を受信側の端末が受信した場合に、受信側の端末において当該情報に含まれるキーワードに対応付けられたイメージ画像が当該受信側の端末に表示される。
【特許文献１】特開２０００−２８７２４９号公報
【特許文献２】特開２００４−１９２２９号公報
【発明の開示】
【発明が解決しようとする課題】
【０００４】
しかしながら、特許文献１に記載のシステムにおいて、状態を示す情報に対応付けられるイメージ画像が予め設定されていて、固定である。よって、特許文献１のシステムにおいて、状態を示す情報に対してユーザが自由にイメージ画像を設定することができない。
【０００５】
また、特許文献２の記載のシステムにおいて、状態を示す情報を発信する側の端末で設定したイメージ画像とキーワードの対応付けを、当該情報を受信する側の端末に予め登録させておくか、または、情報を受信する側の端末においてユーザが予め当該対応付けを入力しておく。よって、前者の場合には、情報を送受信する組毎にイメージ画像とキーワードの対応付けを登録するので端末側には大きな容量のメモリを要する。また、状態を示す情報の送受信とは別個に対応付けの登録の通信があるので通信トラフィックが混雑する。一方、後者の場合には、発信側の端末におけるイメージ画像とキーワードの対応付けと、受信側の対応付けとが異なる場合が生じるので、その場合には、発信側のユーザが意図したイメージ画像が受信側の端末に表示されない。
【課題を解決するための手段】
【０００６】
上記課題を解決するために、本発明の第１の形態においては、他の端末との間で、端末のユーザの活動状態を示す活動情報を相互に通知すると共に、他のユーザから受信した活動情報を表示する端末であって、文字の列によりユーザに認識される複数の活動情報を、文字の列を示す文字コードでそれぞれ格納する活動情報格納部と、複数の絵文字を、それぞれを識別する文字コードに対応付けて格納する絵文字格納部と、活動情報格納部に格納されている複数の活動情報、および、絵文字格納部に格納されている複数の絵文字を表示し、ユーザから、一の活動情報と、当該一の活動情報に対応付けるべき一の絵文字とを対応付けて受け付ける対応絵文字受付部と、対応絵文字受付部により受け付けられた一の活動情報、および、一の絵文字を対応付けて文字コードで格納する対応絵文字格納部と、活動情報格納部に格納されている複数の活動情報を表示し、ユーザから、送信すべき一の活動情報を受け付ける送信活動情報受付部と、送信活動情報受付部により一の活動情報が受け付けられた場合に、当該一の活動情報を示す文字コードとともに、当該活動情報に対応付けて対応絵文字格納部に格納されている絵文字を識別する文字コードを他の端末に送信する送信部と、他の端末から、活動情報を示す文字コードとともに、絵文字を識別する文字コードを受信した場合に、当該活動情報に対応付けて当該絵文字を表示する表示部とを備える。これにより、送信者が、活動情報とともに表示させる絵文字を自由に選択することができる。またこの場合に、双方の端末に予め格納されている絵文字の文字コードを、送信者の端末から送信するので、絵文字自体を送信しなくてもよいので通信量を軽減することができ、また、送信者側の意図通りの絵文字を受信者側の端末に表示することができる。
【０００７】
表示部は、他の端末から、活動情報を示す文字コードとともに、絵文字を識別する文字コードを受信した場合に、活動情報の文字よりも大きな当該絵文字を表示してもよい。これにより、送信者は、その活動状態を、受信者により明確に意識させることができる。
【０００８】
端末は、さらに、ユーザから、新たな活動情報の登録を受け付ける活動情報登録部を備え、対応絵文字格納部は、予め活動情報と絵文字とを文字コードで対応付けたテーブルを格納し、対応絵文字受付部は、活動情報登録部により新たな活動情報が受け付けられた場合に、当該新たな活動情報に対応付けるべき一の絵文字を受け付け、対応絵文字格納部は、テーブルに当該新たな活動情報、および、当該一の絵文字を文字コードで対応付けて追加してもよい。これにより、対応付けをするユーザの労力を低減させることができる。
【０００９】
表示部は、活動情報とともに、絵文字格納部に格納された一の文字コードを含む、コメントを示す文字コードを他の端末から受信した場合に、活動情報とともに、当該一の文字コードにより識別される絵文字を含むコメントを表示してもよい。これにより、コメントを、装飾、強調、補完、省略などすることができる。また、活動情報に対応付けた絵文字に加えて、コメントにも絵文字を利用することにより、送信者の活動状態に加えて、その感情等を表現することができる。
【００１０】
なお、上記の発明の概要は、本発明の必要な特徴の全てを列挙したものではなく、これらの特徴群のサブコンビネーションもまた、発明となりうる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１２】
図１は、携帯情報端末２０、３０を含むシステムの概略図を示す。携帯情報端末２０、３０は、それぞれユーザ「Ａ」、「Ｂ」に使用される端末の一例であって、例えば、スマートフォン（ｓｍａｒｔ  ｐｈｏｎｅ）である。携帯情報端末２０、３０は、操作パネル２２、３２およびディスプレイ２４、３４を備える。携帯情報端末２０、３０は相互に、携帯情報端末２０に対応付けられたサーバ４０、および、携帯情報端末３０に対応付けられたサーバ５０を介して、端末のユーザの活動状態を示す活動情報などの情報を送受信し、それぞれのディスプレイ２４、３４に表示する。
【００１３】
図２は、携帯情報端末２０のブロック図の一例を示す。図２に示すように、携帯情報端末２０は、活動情報格納部１００、絵文字格納部１１０、対応絵文字格納部１２０、活動情報登録部１３０、対応絵文字受付部１４０、送信活動情報受付部１５０、コメント受付部１６０、送信部１７０、表示部１８０を備える。
【００１４】
図３は、活動情報格納部１００に格納された情報の一例を示す。図３に示すように、活動情報格納部１００は、文字の列によりユーザに認識される複数の活動情報を、文字の列を示す文字コードでそれぞれ格納する。図３に示す例において、活動情報格納部１００は、文字「ご」を示す文字コード「８２Ｂ２」等、文字「き」を示す文字コード「８２ＡＢ」、文字「げ」を示す文字コード「８２Ｂ０」、および、文字「ん」を示す文字コード「８２Ｆ１」を繋げた文字コード「８２Ｂ２８２ＡＢ８２Ｂ０８２Ｆ１」で格納している。なお、図３に示す文字コードの一例は、シフトＪＩＳであるが、他の文字コードであってもよい。ここで、図３においては説明のため、文字コードそのものとその文字コードにより示される文字列による活動情報とが示されているが、文字コードのみが格納されていてもよい。その場合には、携帯情報端末２０のディスプレイ２４に活動情報を表示する場合に、当該文字コードを上記シフトＪＩＳ等のコード表に基づいて文字画像に変換して表示する。
【００１５】
図４は、ディスプレイ２４に表示される画面の一例を示す。送信活動情報受付部１５０は、活動情報格納部１００に格納されている複数の活動情報を表示し、ユーザ「Ａ」から送信すべき活動情報の選択を受け付ける。図４に示す例において、送信活動情報受付部１５０は、ボタン「戻る」またはボタン「次」が選択された旨を受け付けることにより選択エリア３００に表示する活動情報を切り替える。そして、送信活動情報受付部１５０は、選択エリア３００に特定の活動情報を表示しているときに、ボタン「決定」が押下された旨を受け付けることにより、送信すべき活動情報として、当該活動情報を受け付ける。
【００１６】
コメント受付部１６０は、ユーザ「Ａ」から送信すべきコメントを受け付ける。図４に示す例において、コメント受付部１６０は、入力エリア３０２にコメントが入力されているときに、すなわち入力エリア３０２にコメントを表示しているときに、ボタン「決定」が押下された旨を受け付けることにより、送信すべきコメントを受け付ける。
【００１７】
また、コメント受付部１６０は、ユーザ「Ａ」の操作により、コメントの一部または全部として、後述する絵文字格納部１１０に格納された絵文字を入力エリア３０２に表示するとともに、その絵文字を識別する文字コードを一時記憶する。そしてコメント受付部１６０は、コメントの一部または全部として、絵文字を入力エリア３０２に表示しているときに、ボタン「決定」が押下された旨を受け付けることにより、コメントの一部または全部として、その絵文字を識別する文字コードを受け付ける。
【００１８】
図５は、絵文字格納部１１０に格納された情報の一例を示す。図５に示すように、絵文字格納部１１０は、複数の絵文字を、それぞれを識別する文字コードに対応付けて格納する。図５に示す例において、絵文字格納部１１０は、家の絵文字に対応付けて文字コード「Ａ００１」を格納している。なお、図５に示す文字コードは、図３に示す文字コードと同じ形式である。例えば、図５に示す文字コードは、図３におけるＪＩＳ等のコード表において、未使用のエリアを使用することが好ましい。また、絵文字は、ＪＰＥＧ、ＧＩＦ、ＰＮＧなどの形式であればよく、モーションＪＰＥＧ、アニメーションＧＩＦなどの形式であってもよい。図５に示す文字コードは図３で説明した文字コード、例えばシフトＪＩＳコードと共に、当該システムに用いられる携帯情報端末２０、３０に格納されている。なお、これらの文字コードは当該システムおける他の機能、例えば携帯情報端末２０、３０における電子メールに用いられる文字コードであることが好ましい。
【００１９】
図６は、ディスプレイ２４に表示される画面の一例を示す。活動情報登録部１３０は、新たな活動情報の登録を受け付ける。図６に示す例において、活動情報登録部１３０は、入力エリア３１０に新たな活動情報が入力されているときに、すなわち入力エリア３１０に新たな活動情報を表示しているときに、ボタン「決定」が押下された旨を受け付けることにより、当該新たな活動情報の登録を受け付ける。
【００２０】
対応絵文字受付部１４０は、活動情報格納部１００に格納されている活動情報を選択エリア３１２に表示する。また、対応絵文字受付部１４０は、絵文字格納部１１０に格納されている絵文字を選択エリア３１４に表示し、特定の活動情報と、当該特定の活動情報に対応付けるべき絵文字とを対応付けて受け付ける。図６に示す例において、対応絵文字受付部１４０は、ボタン「戻る」またはボタン「次」が選択された旨を受け付けることにより選択エリア３１２に表示する活動情報を切り替え、矢印キーの入力を受け付けることにより選択エリア３１４に表示された複数の絵文字から一の絵文字をアクティブにする。そして対応絵文字受付部１４０は、選択エリア３１２に一の活動情報を表示し、選択エリア３１４に一の絵文字をアクティブに表示しているときに、ボタン「決定」が押下された旨を受け付けることにより、当該一の活動情報と当該一の絵文字とを対応付けて受け付ける。
【００２１】
図７は、対応絵文字格納部１２０に格納された情報の一例を示す。図７に示すように、対応絵文字格納部１２０は、対応絵文字受付部１４０により受け付けられた活動情報および絵文字を対応付けて文字コードで格納する。図７示す例において、対応絵文字受付部１４０は、活動情報「家」を示す文字コード「８９Ｃ６」、および、家の絵文字を識別する文字コード「Ａ００１」を対応付けて格納している。
【００２２】
送信部１７０は、送信活動情報受付部１５０により活動情報が受け付けられた場合に、当該活動情報を示す文字コードとともに、当該活動情報に対応付けて対応絵文字格納部１２０に格納されている絵文字を識別する文字コードを他の端末である携帯情報端末３０に送信する。
【００２３】
表示部１８０は、他の端末である携帯情報端末３０から、活動情報を示す文字コードとともに、絵文字を識別する文字コードを受信した場合に、当該活動情報に対応付けて当該絵文字をディスプレイ２４に表示する。さらに、表示部１８０は、活動情報とともに、前記絵文字格納部１１０に格納された文字コードを含むコメントを示す文字コードを携帯情報端末３０から受信した場合に、当該活動情報とともに、当該文字コードにより識別される絵文字を含むコメントを表示する。
【００２４】
以上、携帯情報端末２０の機能について説明したが、携帯情報端末３０も同じ機能を有する。
【００２５】
図８は、携帯情報端末２０、３０の動作の一例を示すフローチャートである。図９は、ディスプレイ３４に表示された情報の一例を示す。本フローチャートは、ユーザ「Ａ」が使用する携帯情報端末２０が、ユーザ「Ｂ」が使用する携帯情報端末３０に、ユーザ「Ａ」の活動情報「家」を送信する場合における、携帯情報端末２０、３０の動作を示す。
【００２６】
本フローチャートは、送信側の携帯情報端末２０のボタン「決定」が押下された旨を受け付けることにより、送信活動情報受付部１５０が活動情報を受け付け、コメント受付部１６０がコメントを受け付けることにより開始する。ここでは送信活動情報受付部１５０は活動情報「家」を、コメント受付部１６０はコメント「家に到着○」を受け付けるものとする。ここで「○」は、絵文字格納部１１０に格納された絵文字「スマイル」を示す。また、図３、図５および図７に示す情報を用いて説明する。また、本フローチャートの左側は活動情報を送信する側である携帯情報端末２０の動作を、右側は活動情報を受信する側である携帯情報端末３０の動作をそれぞれ示す。なお、サーバ４０、５０の動作は省略した。
【００２７】
送信側の携帯情報端末２０の送信部１７０は、送信活動情報受付部１５０から活動情報「家」を示す文字コード「８９Ｃ６」を受け付け、コメント受付部１６０からコメント「家に到着○」を示す文字コード「８９Ｃ６８２Ｃ９９３９Ｅ９２８５Ａ００３」を受け付ける。送信部１７０は、活動情報「家」を示す文字コード「８９Ｃ６」に対応付けて対応絵文字格納部１２０に格納されている絵文字を識別する文字コード「Ａ００１」を特定する（Ｓ１００）。
【００２８】
送信側の携帯情報端末２０の送信部１７０は、活動情報を示すタグに対応付けて活動情報「家」を示す文字コード「８９Ｃ６」をセットし、活動情報に対応する絵文字を示すタグに対応付けて絵文字を識別する文字コード「Ａ００１」をセットし、コメントを示すタグに対応付けてコメント「家に到着○」を示す文字コード「８９Ｃ６８２Ｃ９９３９Ｅ９２８５Ａ００３」をセットした送信データを生成する（Ｓ１１０）。そして送信部１７０は、生成した送信データを受信側の携帯情報端末３０に送信する（Ｓ１２０）。
【００２９】
受信側の携帯情報端末３０の表示部１８０は、受信した送信データにコメントが含まれているか否かを判断する（Ｓ１３０）。表示部１８０は、送信データにコメントを示すタグが含まれている場合に、受信した送信データにコメントが含まれていると判断する（同ステップ）。
【００３０】
ステップＳ１３０において受信側の携帯情報端末３０の表示部１８０は、送信データにコメントが含まれていると判断した場合（Ｓ１３０：Ｙｅｓ）、コメントに絵文字の文字コードが含まれているか否かを判断する（Ｓ１４０）。表示部１８０は、コメントを示す文字コードが絵文字格納部１１０に格納されている場合に、コメントに絵文字の文字コードが含まれていると判断する（同ステップ）。
【００３１】
ステップＳ１４０において受信側の携帯情報端末３０の表示部１８０は、コメントに絵文字の文字コードが含まれていると判断した場合（Ｓ１４０：Ｙｅｓ）、活動情報、活動情報に対応する絵文字、絵文字を含むコメントを表示する（Ｓ１５０）。そして本フローチャートは終了する。図９に示す例において、表示部１８０は、表示エリア３２０に活動情報に対応する絵文字「家」を表示し、表示エリア３２２に活動情報「家」を表示し、表示エリア３３０に絵文字「○」を含むコメント「家に到着○」を表示している。図９に示すように、表示部１８０は、活動情報「家」の文字に比べ、より大きな絵文字「家」を表示する。なお、表示部は、図９に示すように、絵文字「○」を表示エリア３３０の右端に表示してもよいし、これにかえてコメントに続けて表示してもよい。
【００３２】
一方、ステップＳ１４０において表示部１８０は、コメントに絵文字の文字コードが含まれていないと判断した場合（Ｓ１４０：Ｎｏ）、活動情報、活動情報に対応する絵文字、コメントを表示する（Ｓ１６０）。そして本フローチャートは終了する。
【００３３】
一方、ステップＳ１３０において表示部１８０は、送信データにコメントが含まれていないと判断した場合（Ｓ１３０：Ｎｏ）、活動情報、活動情報に対応する絵文字を表示する（Ｓ１７０）。そして本フローチャートは終了する。
【００３４】
以上、本実施形態によれば、ユーザ「Ａ」は、ユーザ「Ｂ」との間で予め活動情報に対応付ける絵文字に関する手続きをすることなく、ユーザ「Ａ」の活動情報に対応付ける絵文字を、適宜、選択することができる。
【００３５】
なお、本実施例において対応絵文字格納部１２０は、対応絵文字受付部１４０により受け付けられた活動情報および絵文字を対応付けて文字コードで格納するが、予め活動情報と絵文字とを文字コードで対応付けたテーブルを格納してもよい。この場合、対応絵文字受付部１４０は、活動情報登録部１３０により新たな活動情報が受け付けられた場合に、当該新たな活動情報に対応付けるべき絵文字を受け付け、対応絵文字格納部１２０は、そのテーブルに当該新たな活動情報および当該絵文字を文字コードで対応付けて追加してもよい。
【００３６】
また、本実施例は、携帯情報端末を端末の一例として説明しているが、端末は、ディスクトップ型のパーソナルコンピュータなど固定設置されるものであってもよい。
【００３７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３８】
【図１】携帯情報端末２０を含むシステムの概略図を示す。
【図２】携帯情報端末２０のブロック図の一例を示す。
【図３】活動情報格納部１００に格納された情報の一例を示す。
【図４】ディスプレイ２４に表示される画面の一例を示す。
【図５】絵文字格納部１１０に格納された情報の一例を示す。
【図６】ディスプレイ２４に表示される画面の一例を示す。
【図７】対応絵文字格納部１２０に格納された情報の一例を示す。
【図８】携帯情報端末２０、３０の動作の一例を示すフローチャートである。
【図９】ディスプレイ３４に表示された情報の一例を示す。
【符号の説明】
【００３９】
２０  携帯情報端末
２２  操作パネル
２４  ディスプレイ
３０  携帯情報端末
３２  操作パネル
３４  ディスプレイ
４０  サーバ
５０  サーバ
１００  活動情報格納部
１１０  絵文字格納部
１２０  対応絵文字格納部
１３０  活動情報登録部
１４０  対応絵文字受付部
１５０  送信活動情報受付部
１６０  コメント受付部
１７０  送信部
１８０  表示部
３００  選択エリア
３０２  入力エリア
３１０  入力エリア
３１２  選択エリア
３１４  選択エリア
３２０  表示エリア
３２２  表示エリア
３３０  表示エリア
３３２  表示エリア
【図１】
2008104113.tif 000003
【図２】
2008104113.tif 000004
【図３】
2008104113.tif 000005
【図４】
2008104113.tif 000006
【図５】
2008104113.tif 000007
【図６】
2008104113.tif 000008
【図７】
2008104113.tif 000009
【図８】
2008104113.tif 000010
【図９】
2008104113.tif 000011